(57)【要約】【課題】電池の寿命が短くなるのを抑制しながら、使用量が多い場合でも、機器を使用している途中で電池が切れてしまうのを抑制することが可能な機器を提供する。【解決手段】携帯端末装置（機器）１００は、駆動電源として用いる充電可能なリチウムイオン電池３と、設定されたスケジュールに基づいて予測使用量を予測して充電量を演算する演算制御部１と、演算された前記充電量に基づいて前記電池の充電が行われるように制御する充電制御部２１とを備えている。【選択図】図２
2014176103.tif 000002
【特許請求の範囲】
【請求項１】
駆動電源として用いる充電可能な電池と、
設定されたスケジュールに基づいて予測使用量を予測して充電量を演算する演算制御部と、
演算された前記充電量に基づいて前記電池の充電が行われるように制御する充電制御部とを備える、機器。
【請求項２】
前記電池の電力量には、下限値が設定されており、
前記充電量は、前記演算制御部において電池残量から前記下限値を差し引いた値が前記予測使用量よりも小さくなる場合に、前記予測使用量から、前記電池残量から前記下限値を差し引いた前記値を、差し引くことにより演算した値に設定される、請求項１に記載の機器。
【請求項３】
前記電池の電力量には、上限値が設定されており、
前記充電制御部は、前記下限値に予測された前記予測使用量を加えた値が前記上限値よりも大きい場合に、前記下限値に予測された前記予測使用量を加えた前記値まで前記電池を充電する制御を行うように構成されている、請求項２に記載の機器。
【請求項４】
前記充電制御部は、前記下限値に前記演算制御部により演算された前記予測使用量を加えた値が前記上限値よりも小さい場合に、少なくとも前記上限値まで前記電池を充電する制御を行うように構成されている、請求項３に記載の機器。
【請求項５】
前記スケジュールは、目的地への出発時刻および到着時刻と、目的地の場所とのうち少なくとも一方を含み、
前記演算制御部は、前記スケジュールから予測される使用時間および移動距離のうち少なくとも一方に基づいて前記予測使用量を演算するように構成されている、請求項１〜４のいずれか１項に記載の機器。
【請求項６】
充電履歴と、前記機器の使用履歴とのうち少なくとも一方が記憶される記憶部をさらに備え、
前記演算制御部は、前記スケジュールに加えて、前記記憶部に記憶された前記充電履歴と前記使用履歴とのうち少なくとも一方にも基づいて前記予測使用量を演算するように構成されている、請求項１〜５のいずれか１項に記載の機器。
【請求項７】
充電履歴と、前記機器の使用履歴とのうち少なくとも一方が記憶される記憶部をさらに備え、
前記演算制御部は、前記スケジュールが設定されていない場合に、前記記憶部に記憶された前記充電履歴と前記使用履歴とのうち少なくとも一方に基づいて前記予測使用量を推定するように構成されている、請求項１〜５のいずれか１項に記載の機器。
【請求項８】
前記充電履歴は、少なくとも充電開始時における時刻および曜日と、現在地と、電池残量との情報を含む、請求項６または７に記載の機器。
【請求項９】
前記使用履歴は、使用時における時刻、曜日、現在地、使用アプリケーションおよび使用機能のうち少なくとも１つの情報を含む、請求項６〜８のいずれか１項に記載の機器。
【請求項１０】
前記充電量は、ユーザーに通知されるとともに、ユーザーが変更可能なように構成されている、請求項１〜９のいずれか１項に記載の機器。
【請求項１１】
駆動電源として用いる充電可能な電池への充電量を設定されたスケジュールに基づいて予測使用量を予測して演算するステップと、
演算された前記充電量に基づいて前記電池を充電するステップとを備える、充電制御方法。
【発明の詳細な説明】
【技術分野】
【０００１】
この発明は、機器および充電制御方法に関し、特に、充電可能な電池を備える機器および充電制御方法に関する。
【背景技術】
【０００２】
従来、充電可能な電池を備える機器および充電制御方法が知られている（たとえば、特許文献１参照）。
【０００３】
上記特許文献１には、充電可能な電池を備えた携帯電子機器が開示されている。この携帯電子機器では、バッテリー（電池）の寿命が短くなるのを抑制するために、バッテリーの電力量に満充電状態よりも低い値の上限値が設けられている。この携帯電子機器は、バッテリーの充電を上限値に達するまで継続するとともに、上限値に到達すれば充電を終了するように構成されている。
【先行技術文献】
【特許文献】
【０００４】
【特許文献１】特開２００８−４３１８６号公報
【発明の概要】
【発明が解決しようとする課題】
【０００５】
しかしながら、上記特許文献１の携帯電子機器では、充電可能なバッテリーの電力量に上限値を設けることにより、バッテリー（電池）の過充電を抑制してバッテリーの寿命が短くなるのを抑制することが可能である一方、バッテリーの満充電状態よりも携帯電子機器の使用可能な時間が少なくなってしまうという不都合がある。したがって、使用量が多く上限値を超える場合に、機器の使用中に電池が切れてしまうという問題点がある。
【０００６】
この発明は、上記のような課題を解決するためになされたものであり、この発明の１つの目的は、電池の寿命が短くなるのを抑制しながら、使用量が多い場合でも、機器の使用中に電池が切れてしまうのを抑制することが可能な機器および充電制御方法を提供することである。
【課題を解決するための手段】
【０００７】
この発明の第１の局面による機器は、駆動電源として用いる充電可能な電池と、設定されたスケジュールに基づいて予測使用量を予測して充電量を演算する演算制御部と、演算された充電量に基づいて電池の充電が行われるように制御する充電制御部とを備える。
【０００８】
この発明の第１の局面による機器では、上記のように、演算制御部により、設定されたスケジュールに基づいて予測使用量を予測して充電量を演算することによって、スケジュールから使用が予想される必要な充電量のみが電池に充電されるので、使用量が多い場合でも、機器の使用中に電池が切れてしまうのを抑制することできる。また、演算制御部により、設定されたスケジュールに基づいて予測使用量を予測して充電量を演算することによって、スケジュールから使用が予想される必要な充電量のみが電池に充電されるので、常に満充電状態まで電池を充電する場合と異なり、過度の充電が抑制されるので、電池の寿命が短くなるのを抑制することができる。したがって、電池の寿命が短くなるのを抑制しながら、使用量が多い場合でも、機器の使用中に電池が切れてしまうのを抑制することができる。
【０００９】
上記第１の局面による機器において、好ましくは、電池の電力量には、下限値が設定されており、充電量は、演算制御部において電池残量から下限値を差し引いた値が予測使用量よりも小さくなる場合に、予測使用量から、電池残量から下限値を差し引いた値を、差し引くことにより演算した値に設定される。このように構成すれば、充電後に予測使用量の分だけ電池を使用した場合に電池残量が下限値の値となるので、電池残量が過度に少ない状態となるのを防止して、電池の寿命が短くなるのを抑制することができる。
【００１０】
この場合、好ましくは、電池の電力量には、上限値が設定されており、充電制御部は、下限値に予測された予測使用量を加えた値が上限値よりも大きい場合に、下限値に予測された予測使用量を加えた値まで電池を充電する制御を行うように構成されている。このように構成すれば、予想使用量が上限値よりも大きい場合には、上限値よりも大きい値まで電池が充電されるので、機器を多く使用した場合でも、機器の使用中に電池が切れてしまうのを抑制することができる。
【００１１】
上記電池の電力量に上限値が設定されている構成において、好ましくは、充電制御部は、下限値に演算制御部により演算された予測使用量を加えた値が上限値よりも小さい場合に、少なくとも上限値まで電池を充電する制御を行うように構成されている。このように構成すれば、予測される電池の使用量に対して余裕のある上限値まで電池が充電されるので、電池の寿命が短くなるのを抑制しながら、スケジュールから予想したよりも使用量が多くなった場合でも、機器の使用中に電池が切れてしまうのを抑制することできる。
【００１２】
上記第１の局面による機器において、好ましくは、スケジュールは、目的地への出発時刻および到着時刻と、目的地の場所とのうち少なくとも一方を含み、演算制御部は、スケジュールから予測される使用時間および移動距離のうち少なくとも一方に基づいて予測使用量を演算するように構成されている。このように構成すれば、演算制御部により、目的地への出発時刻および到着時刻により予想される使用時間や目的地の場所により予想される移動距離に基づいて予測使用量が演算されるので、実際の使用上における電池の使用量に近い値で予測使用量を演算することができる。
【００１３】
上記第１の局面による機器において、好ましくは、機器は、充電履歴と、機器の使用履歴とのうち少なくとも一方が記憶される記憶部をさらに備え、演算制御部は、スケジュールに加えて、記憶部に記憶された充電履歴と使用履歴とのうち少なくとも一方にも基づいて予測使用量を演算するように構成されている。このように構成すれば、スケジュールのみならず、充電履歴や使用履歴にも基づいて予測使用量が演算されるので、過去の充電状況や使用状態を考慮してユーザーに応じた予測使用量を精度よく演算することができる。
【００１４】
上記第１の局面による機器において、好ましくは、機器は、充電履歴と、機器の使用履歴とのうち少なくとも一方が記憶される記憶部をさらに備え、演算制御部は、スケジュールが設定されていない場合に、記憶部に記憶された充電履歴と使用履歴とのうち少なくとも一方に基づいて予測使用量を推定するように構成されている。このように構成すれば、スケジュールが設定されていない場合でも、充電履歴と使用履歴との少なくとも一方に基づいて予測使用量が推定されるので、推定された予測使用量に基づいて充電量を演算することができる。
【００１５】
上記記憶部を備えた構成において、好ましくは、充電履歴は、少なくとも充電開始時における時刻および曜日と、現在地と、電池残量との情報を含む。このように構成すれば、充電開始時における時刻および曜日と、現在地と、電池残量とから予測使用量を容易に得ることができる。
【００１６】
上記記憶部を備えた構成において、好ましくは、使用履歴は、使用時における時刻、曜日、現在地、使用アプリケーションおよび使用機能のうち少なくとも１つの情報を含む。このように構成すれば、使用時における時刻、曜日、現在地、使用アプリケーションおよび使用機能のうち少なくとも１つに基づいてユーザーの実際の使用状態に応じた予測使用量を得ることができる。
【００１７】
上記第１の局面による機器において、好ましくは、充電量は、ユーザーに通知されるとともに、ユーザーが変更可能なように構成されている。このように構成すれば、スケジュールが変更された場合などにも、ユーザーが望む充電量で電池が充電されるように任意に予測使用量を変更することができるので、ユーザーの利便性を向上させることができる。
【００１８】
この発明の第２の局面による充電制御方法は、駆動電源として用いる充電可能な電池への充電量を設定されたスケジュールに基づいて予測使用量を予測して演算するステップと、演算された充電量に基づいて電池を充電するステップとを備える。
【００１９】
この発明の第２の局面による充電制御方法では、上記のように、設定されたスケジュールに基づいて予測使用量を予測して充電量を演算することによって、スケジュールから使用が予想される必要な充電量のみが電池に充電されるので、使用量が多い場合でも、機器の使用中に電池が切れてしまうのを抑制することできる。また、演算制御部により、設定されたスケジュールに基づいて予測使用量を予測して充電量を演算することによって、スケジュールから使用が予想される必要な充電量のみが電池に充電されるので、常に満充電状態まで電池を充電する場合と異なり、過度の充電が抑制されるので、電池の寿命が短くなるのを抑制することができる。したがって、電池の寿命が短くなるのを抑制しながら、使用量が多い場合でも、機器の使用中に電池が切れてしまうのを抑制することができる。
【発明の効果】
【００２０】
本発明によれば、電池の寿命が短くなるのを抑制しながら、使用量が多い場合でも、機器を使用している途中で電池が切れてしまうのを抑制することができる。
【図面の簡単な説明】
【００２１】
【図１】本発明の第１実施形態による携帯端末装置の構成を示した斜視図である。
【図２】本発明の第１実施形態による携帯端末装置の構成を示したブロック図である。
【図３】本発明の第１実施形態による携帯端末装置の充電量の決定処理を示したフローチャートである。
【図４】本発明の第２実施形態による携帯端末装置の充電量の決定処理を示したフローチャートである。
【図５】本発明の変形例による車両の構成を示したブロック図である。
【発明を実施するための形態】
【００２２】
以下、本発明の実施形態を図面に基づいて説明する。
【００２３】
（第１実施形態）
図１および図２を参照して、本発明の第１実施形態による携帯端末装置１００の構成について説明する。なお、携帯端末装置１００は、本発明の「機器」の一例である。
【００２４】
第１実施形態による携帯端末装置１００は、図１に示すように、演算制御部１と、電源制御部２と、充電可能なリチウムイオン電池３と、入力部４と、表示部５と、記憶部６と、ＧＰＳ（Ｇｌｏｂａｌ  Ｐｏｓｉｔｉｏｎｉｎｇ  Ｓｙｓｔｅｍ）アンテナ７と、スピーカー８とを備えている。また、携帯端末装置１００を駆動する電力は、外部から充電器９を介して供給される。また、携帯端末装置１００は、演算制御部１によりスケジュールに基づいてリチウムイオン電池３に充電する充電量を演算し、充電制御部２１により充電を行うように構成されている。なお、リチウムイオン電池３は、本発明の「電池」の一例である。
【００２５】
ここで、第１実施形態では、演算制御部１は、電源制御部２、入力部４、表示部５、記憶部６、ＧＰＳアンテナ７およびスピーカー８と接続されており、携帯端末装置１００の全体の動作を制御するように構成されている。また、演算制御部１は、ユーザーにより設定されたスケジュールから予測使用量を予測するとともに、予測された予測使用量に基づいて、必要な充電量を演算するように構成されている。スケジュールとしては、目的地への出発到着時刻や目的地の場所が設定される。ここで、演算制御部１は、リチウムイオン電池３の電力量の上限値および下限値を考慮して充電量の演算を、行うように構成されている。上限値とは、この値を超えて電池を充電すると寿命が短くなる可能性が高まる値（たとえば満充電に対して８０％）であり、下限値とは、この値を下回るまで電池を放電すると寿命が短くなる可能性が高まる値（たとえば満充電に対して２０％）である。そして、充電制御部２１は、予測使用量が上限値よりも大きい値である場合に限り、上限値を超えて充電するように構成されている。
【００２６】
ここで、演算制御部１が、設定されたスケジュールに基づいて予測使用量を予測（演算）して充電量を演算する構成について説明する。まず、スケジュールは、目的地への出発時刻および到着時刻と、目的地の場所とを含み、演算制御部１は、スケジュールから予測される使用時間および到着時刻に基づいて予測使用量を演算するように構成されている。この際、予測使用量の予測（演算）は、スケジュールに加えて、記憶部６に記憶された使用履歴にも基づいて演算することが可能なように構成されている。この使用履歴は、携帯端末装置１００の使用時における時刻、曜日、現在地、使用アプリケーションおよび使用機能に関する情報を含んでいる。また、使用機能は、無線ＬＡＮ（Ｌｏｃａｌ  Ａｒｅａ  Ｎｅｔｗｏｒｋ）機能、ＧＰＳ（Ｇｌｏｂａｌ  Ｐｏｓｉｔｉｏｎｉｎｇ  Ｓｙｓｔｅｍ）機能およびＢｌｕｅｔｏｏｔｈ（登録商標）機能を有している。また、たとえば、平日に、会社にて無線ＬＡＮに接続している場合には、使用履歴に基づいて無線ＬＡＮ接続による消費電力により予測使用量を演算することができる。
【００２７】
そして、演算制御部１は、演算された予測使用量から、電池残量から下限値が差し引かれることにより演算された値が、さらに差し引かれることにより、充電量が演算するように構成されている。すなわち、演算制御部１は、以下で示す式により充電量を演算するように構成されている。
【００２８】
Ａｃ＝Ａａ−（Ａｒ−Ｌ）・・・・（１）
【００２９】
ここで、Ａｃは充電量［ｍＡｈ］、Ａａは予測使用量［ｍＡｈ］、Ａｒは電池残量［ｍＡｈ］、Ｌは下限値［ｍＡｈ］をそれぞれ表す。
【００３０】
なお、演算制御部１は、充電後のリチウムイオン電池３の電力量が上限値よりも小さくなる予測使用量が演算された場合や、充電前の電池残量により演算された予測使用量を賄える場合（予測使用量が、電池残量から下限値を差し引いた値よりも小さい場合）などのように、下限値に予測使用量を加えた値が上限値よりも小さい場合には、充電量を上記の式（１）に基づいて充電量を演算することはなく、上限値から電池残量を差し引いた値に演算するように構成されている。
【００３１】
スケジュールが設定されていない場合には、演算制御部１は、携帯端末装置１００の充電履歴や使用履歴に基づいて予測使用量を推定すること（得ること）が可能なように構成されている。また、充電履歴は、携帯端末装置１００の充電開始時における時刻、曜日、現在地および電池残量に関する情報からなる。また、たとえば、平日夜の充電時に、いつも電池残量が多いことから平日には携帯端末装置１００をあまり使用していないと推定することが可能なので、平日には満充電状態にしなくてもよいと充電履歴から推定することができる。なお、充電履歴や使用履歴に基づいても、予測使用量を得ること（推定すること）ができない場合には、演算制御部１は、充電量をリチウムイオン電池３の上限値まで充電する値に演算するように構成されている。
【００３２】
上記の演算制御部１が予測使用量に基づいて充電量を演算するように構成されている場合に対して、充電量が予測使用量に基づかない場合には、演算制御部１は、以下のようにして充電量を演算するように構成されている。まず、スケジュールに目的地の場所が設定されていることが前提となる。そして、その目的地の場所が、充電履歴より充電可能であると推測される場合には、演算制御部１は、充電量をリチウムイオン電池３の上限値まで充電する値に演算するように構成されている。
【００３３】
表示部５は、上記演算制御部１によりスケジュールに基づいて設定された充電量と、充電終了時刻と、充電により目標とする電力量とが表示されるように構成されている。そして、表示部５は、表示内容がユーザーにより視覚的に認識された場合に、ユーザーにより表示内容が把握されるように構成されている。この際、演算制御部１は、充電量をユーザーの操作により自由に変更することが可能なように構成されている。そして、充電量が変更された場合には、それに伴い新たな充電量が演算制御部１により改めて演算され、充電量の値が決定される。これにより、リチウムイオン電池３の充電が実行される。なお、演算制御部１による充電量の演算から、充電量が表示部５に表示されるまでの一連の制御は、ユーザーの操作なしに、自動的に行われるように構成されている。
【００３４】
記憶部６は、ユーザーが入力したスケジュールが保存されるように構成されている。また、記憶部６は、スケジュールの他に、充電開始時の充電履歴や、使用履歴なども保存されるように構成されている。
【００３５】
ＧＰＳアンテナ７は、衛星からの信号を受信して携帯端末装置１００の現在地の情報を取得することが可能なように構成されている。また、ＧＰＳアンテナ７により取得される現在地の情報は、充電に関する処理を開始する際に取得される。また、現在地の情報は、演算制御部１における、予測使用量を演算するために使用される。
【００３６】
スピーカー８は、オーディオコーデック８１とアンプ８２とを介して演算制御部１に接続されている。演算制御部１から出された音声のデジタル信号は、オーディオコーデック８１により音声のアナログ信号に変換される。さらに、アナログ信号がアンプ８２により増幅されることにより、スピーカー８から音声が出力される。また、携帯端末装置１００は、このスピーカー８から出力される音声により、ユーザーに対してリチウムイオン電池３の充電の状況などに関する情報を知らせることが可能なように構成されている。
【００３７】
電源制御部２は、充電器９から供給される電力を携帯端末装置１００の各構成部に供給している。また、電源制御部２に充電器９から供給される電力は、外部電源からの交流電圧が充電器９に内蔵されているＡＣ／ＤＣコンバーターにより直流電圧に変換され、さらに携帯端末装置１００内のＤＣ／ＤＣコンバーターにより降圧または昇圧された後に電源制御部２に供給されている。また、電源制御部２には、充電制御部２１が設けられている。電源制御部２の充電制御部２１は、リチウムイオン電池３に接続され、演算制御部１における演算により得られた充電量により、充電を行うように制御している。また、電源制御部２は、リチウムイオン電池３から電池残量の情報を取得して演算制御部１に伝達している。
【００３８】
リチウムイオン電池３は、携帯端末装置１００の駆動電源として用いられ、充電可能なように構成されている。また、リチウムイオン電池３は、他の充電可能な電池と比較して、小型かつ軽量でエネルギー密度の大きい電池として構成することができるので、携帯端末装置１００の駆動電源として用いる電池に適している。また、リチウムイオン電池３の電力量は、ＳＯＣ（Ｓｔａｔｅ  Ｏｆ  Ｃｈａｒｇｅ）により把握することができる。ＳＯＣとは、電池の充電状態を示す単位であり、満充電状態における電力量に対して電池残量がどの程度あるのかを比率（％）で表したものである。
【００３９】
次に、図３を参照して、第１実施形態による携帯端末装置１００の演算制御部１により実行されるリチウムイオン電池３への充電量を決定するための処理について説明する。
【００４０】
まず、ステップＳ１において、演算制御部１により充電処理開始時の現在時刻、現在地および電池残量の情報が取得される。この際、現在地はＧＰＳアンテナ７から取得され、電池残量は、電源制御部２を介してリチウムイオン電池３から取得される。また、これら充電処理開始時の現在時刻、現在地および電池残量の情報は、充電履歴として記憶部６に記憶される。そして、ステップＳ２に進む。
【００４１】
次に、ステップＳ２において、演算制御部１により記憶部６にスケジュールが記憶（設定）されているか否かが判断される。そして、記憶部６にスケジュールが記憶（設定）されていると判断された場合には、ステップＳ３に進む。また、記憶部６にスケジュールが記憶（設定）されていない場合には、ステップＳ７に進む。
【００４２】
次に、ステップＳ３において、演算制御部１によりスケジュールが取得される。具体的には、スケジュールとして目的地への出発時刻、到着時刻および目的地の場所が取得される。そして、スケジュールが取得された後、ステップＳ４に進む。
【００４３】
次にステップＳ４において、演算制御部１により、充電履歴とステップＳ２において取得された目的地の場所とに基づいて、目的地の場所が充電可能であるか否かが判断される。そして、目的地の場所が充電可能であると判断された場合には、ステップＳ５に進む。また、目的地の場所が充電可能でない場合には、ステップＳ６に進む。
【００４４】
次に、ステップＳ５において、演算制御部１により、充電量がリチウムイオン電池３を上限値まで充電する値に演算される。すなわち、充電量は、上限値から電池残量を差し引いた値に演算される。ただし、既に電池残量が上限値よりも大きい場合には充電は行われない。そして、充電量が演算された後、ステップＳ１３に進む。
【００４５】
また、ステップＳ６において、演算制御部１により、現在時刻と、目的地への出発時刻および到着時刻と、現在地と、目的地の場所とに基づいて予測使用量が演算される。また、現在時刻と、目的地への出発時刻および到着時刻と、現在地と、目的地の場所とに加えて、使用履歴に基づいて予測使用量を演算してもよい。そして、予測使用量が演算された後、ステップＳ９に進む。
【００４６】
また、ステップＳ７において、演算制御部１により充電履歴または使用履歴のうち少なくとも一方に基づいて予測使用量が推定可能であるか否かが判断される。そして、予測使用量が推定不可能な場合には、ステップＳ８に進む。また、予測使用量が推定可能であると判断された場合には、ステップＳ９に進む。
【００４７】
次に、ステップＳ８において、ステップＳ５と同様に、演算制御部１により、充電量がリチウムイオン電池３を上限値まで充電する値に演算される。ただし、既に電池残量が上限値よりも大きい場合には充電は行われない。そして、演算制御により、充電量が演算された後、ステップＳ１３に進む。
【００４８】
また、ステップＳ９において、演算制御部１により、ステップＳ６またはステップＳ７のいずれか一方の演算制御部１において得られた予測使用量が、電池残量から下限値を差し引いた値よりも大きいか否かが判断される。そして、演算制御部１により、予測使用量が電池残量から下限値を差し引くことにより演算された値よりも大きいと判断された場合には、ステップＳ１０に進む。
【００４９】
次に、ステップＳ１０において、演算制御部１により、予測使用量が上限値から下限値を差し引くことにより演算された値よりも大きいか否かが判断される。そして、演算制御部１により、予測使用量が上限値から下限値を差し引くことにより演算された値よりも大きいと判断された場合には、ステップＳ１１に進む。
【００５０】
次に、ステップＳ１１において、演算制御部１により充電量が演算される。充電量は、予測使用量から、電池残量から下限値を差し引いた値を、差し引くことにより演算される。なお、この場合に、リチウムイオン電池３は、上限値よりも大きい電力量まで充電される。そして、演算制御部１により充電量が演算された後、ステップＳ１３に進む。なお、充電量は、満充電状態の電力量から電池残量を差し引いた値以下の値に演算される。
【００５１】
また、予測使用量が電池残量から下限値を差し引くことにより演算された値よりも小さい場合、および、予測使用量が上限値から下限値を差し引くことにより演算された値よりも小さい場合には、ステップＳ１２に進む。
【００５２】
次に、ステップＳ１２において、ステップＳ５およびステップＳ８と同様に、演算制御部１により、充電量がリチウムイオン電池３を上限値まで充電する値に演算される。ただし、既に電池残量が上限値よりも大きい場合には充電しないように演算される。そして、演算制御部１により、充電量が演算された後、ステップＳ１３に進む。
【００５３】
次に、ステップＳ１３において、ステップＳ５、ステップＳ８、ステップＳ１１またはステップＳ１２において演算された充電量と、充電終了時刻と、充電により目標とする電力量とが表示部５に表示される。この際、電力量は、ＳＯＣにより表示される。したがって、充電量や充電により目標とする電力量がユーザーにより把握される。そして、上記所定の情報が表示部５に表示された後、ステップＳ１４に進む。
【００５４】
次に、ステップＳ１４において、ユーザーが充電量を変更する操作を行ったか否かが判断される。そして、演算制御部１により、ユーザーが入力部４を介して充電量を変更する操作を行ったと判断された場合には、ステップＳ１５に進む。ユーザーが充電量を変更する操作を行っていない場合には、ステップＳ１６に進む。
【００５５】
次に、ステップＳ１５において、ステップＳ５、ステップＳ８、ステップＳ１１またはステップＳ１２において演算された充電量は、ユーザーが設定した新たな充電量に演算され、変更される。そして、ユーザーにより充電量が変更された後、ステップＳ１６に進む。
【００５６】
次に、ステップＳ１６において、ステップＳ１４においてユーザーが充電量を変更させる操作を行っていない場合には、ステップＳ５、ステップＳ８、ステップＳ１１またはステップＳ１２において演算された充電量により充電されることが決定する。また、ステップＳ１６においてユーザーが充電量を変更させる操作をしたと判断された場合には、ステップＳ１５において変更された新たな充電量が決定する。以上により、充電量を決定するための処理フローが終了される。終了後は、ステップＳ１６において決定した充電量により、充電制御部２１によるリチウムイオン電池３への充電が実行される。
【００５７】
第１実施形態では、演算制御部１により、設定されたスケジュールに基づいて予測使用量を予測して充電量を演算する。これにより、スケジュールから使用が予想される必要な充電量のみがリチウムイオン電池３に充電されるので、使用量が多い場合でも、携帯端末装置１００の使用中にリチウムイオン電池３が切れてしまうのを抑制することできる。また、演算制御部１により、設定されたスケジュールに基づいて予測使用量を予測して充電量を演算することによって、スケジュールから使用が予想される必要な充電量のみが電池に充電されるので、常に満充電状態までリチウムイオン電池３を充電する場合と異なり、過度の充電が抑制されるので、リチウムイオン電池３の寿命が短くなるのを抑制することができる。したがって、リチウムイオン電池３の寿命が短くなるのを抑制しながら、使用量が多い場合でも、携帯端末装置１００の使用中にリチウムイオン電池３が切れてしまうのを抑制することができる。
【００５８】
また、第１実施形態では、リチウムイオン電池３の電力量に、下限値を設定し、充電量を、演算制御部１において電池残量から下限値を差し引いた値が予測使用量よりも小さくなる場合に、予測使用量から、電池残量から下限値を差し引いた値を、差し引くことにより演算した値に設定する。これにより、充電後に予測使用量の分だけリチウムイオン電池３を使用した場合に電池残量が下限値の値となるので、電池残量が過度に少ない状態となるのを防止して、リチウムイオン電池３の寿命が短くなるのを抑制することができる。
【００５９】
また、第１実施形態では、リチウムイオン電池３の電力量に、上限値を設定し、充電制御部２１が、下限値に予測された予測使用量を加えた値が上限値よりも大きい場合に、下限値に予測された予測使用量を加えた値までリチウムイオン電池３を充電する制御を行うように構成する。これにより、予想使用量が上限値よりも大きい場合には、上限値よりも大きい値までリチウムイオン電池３が充電されるので、携帯端末装置１００を多く使用した場合でも、携帯端末装置１００の使用中にリチウムイオン電池３が切れてしまうのを抑制することができる。
【００６０】
また、第１実施形態では、充電制御部２１が、下限値に演算制御部１により演算された予測使用量を加えた値が上限値よりも小さい場合に、少なくとも上限値までリチウムイオン電池３を充電する制御を行うように構成する。これにより、予測されるリチウムイオン電池３の使用量に対して余裕のある上限値まで充電されるので、スケジュールから予想したよりも使用量が多くなった場合でも、携帯端末装置１００の使用中にリチウムイオン電池３が切れてしまうのを抑制することできる。
【００６１】
また、第１実施形態では、スケジュールが、目的地への出発時刻および到着時刻と、目的地の場所とのうち少なくとも一方を含み、演算制御部１を、スケジュールから予測される使用時間および移動距離のうち少なくとも一方に基づいて予測使用量を演算するように構成する。これにより、演算制御部１により、目的地への出発時刻および到着時刻により予想される使用時間や目的地の場所により予想される移動距離に基づいて予測使用量が演算されるので、実際の使用上におけるリチウムイオン電池３の使用量に近い値で予測使用量を演算することができる。
【００６２】
また、第１実施形態では、携帯端末装置１００が、充電履歴と、携帯端末装置１００の使用履歴との少なくとも一方が記憶される記憶部６をさらに備え、演算制御部１を、スケジュールに加えて、記憶部６に記憶された充電履歴と使用履歴との少なくとも一方にも基づいて予測使用量を演算するように構成する。これにより、スケジュールのみならず、充電履歴や使用履歴にも基づいて予測使用量が演算されるので、過去の充電状況や使用状態を考慮してユーザーに応じた予測使用量を精度よく演算することができる。
【００６３】
また、第１実施形態では、携帯端末装置１００が、充電履歴と、携帯端末装置１００の使用履歴との少なくとも一方が記憶される記憶部６をさらに備え、演算制御部１を、スケジュールが設定されていない場合に、記憶部６に記憶された充電履歴と使用履歴との少なくとも一方に基づいて予測使用量を推定するように構成する。これにより、スケジュールが設定されていない場合でも、充電履歴と使用履歴との少なくとも一方に基づいて予測使用量が推定されるので、推定された予測使用量に基づいて充電量を演算することができる。
【００６４】
また、第１実施形態では、充電履歴が、少なくとも充電開始時における時刻および曜日と、現在地と、電池残量との情報を含む。これにより、充電開始時における時刻および曜日と、現在地と、電池残量とから予測使用量を容易に得ることができる。
【００６５】
また、第１実施形態では、使用履歴が、使用時における時刻、曜日、現在地、使用アプリケーションおよび使用機能のうち少なくとも１つの情報を含む。これにより、使用時における時刻、曜日、現在地、使用アプリケーションおよび使用機能のうち少なくとも１つに基づいてユーザーの実際の使用状態に応じた予測使用量を得ることができる。
【００６６】
また、第１実施形態では、充電量を、ユーザーに通知するとともに、ユーザーが変更可能なように構成する。これにより、スケジュールが変更された場合などにも、ユーザーが望む充電量でリチウムイオン電池３が充電されるように任意に予測使用量を変更することができるので、ユーザーの利便性を向上させることができる。
【００６７】
また、第１実施形態では、設定されたスケジュールに基づいて予測使用量を予測して充電量を演算する。これにより、スケジュールから使用が予想される必要な充電量のみがリチウムイオン電池３に充電されるので、使用量が多い場合でも、携帯端末装置１００の使用中にリチウムイオン電池３が切れてしまうのを抑制することできる。また、演算制御部１により、設定されたスケジュールに基づいて予測使用量を予測して充電量を演算することによって、スケジュールから使用が予想される必要な充電量のみが電池に充電されるので、常に満充電状態までリチウムイオン電池３を充電する場合と異なり、過度の充電が抑制されるので、リチウムイオン電池３の寿命が短くなるのを抑制することができる。したがって、リチウムイオン電池３の寿命が短くなるのを抑制しながら、使用量が多い場合でも、携帯端末装置１００の使用中にリチウムイオン電池３が切れてしまうのを抑制することができる。
【００６８】
（第２実施形態）
次に、図２および図４を参照して、本発明の第２実施形態による携帯端末装置１００の構成について説明する。なお、携帯端末装置１００は、本発明の「機器」の一例である。
【００６９】
この第２実施形態では、充電後のリチウムイオン電池３の電力量が上限値よりも小さくなる予測使用量が演算された場合や、充電前の状態において電池残量から演算された予測使用量を賄える場合（予測使用量が、電池残量から下限値を差し引いた値よりも小さい場合）に、リチウムイオン電池３が上限値まで充電されるように構成した第１実施形態と異なり、充電前の状態において電池残量から演算された予測使用量を賄える場合に、充電を行わないように構成した携帯端末装置１００について説明する。
【００７０】
本発明の第２実施形態の演算制御部１は、予測使用量が、電池残量から下限値を差し引いた値よりも小さい場合に、充電を行う設定がされるように構成されている。
【００７１】
次に、図４を参照して、第２実施形態による携帯端末装置１００のリチウムイオン電池３への充電量を決定するための処理について説明する。なお、図３に示した第１実施形態におけるステップＳ１〜ステップＳ８およびステップＳ１３〜ステップＳ１６における動作は、第２実施形態においても同様なのでその説明を省略する。
【００７２】
ステップＳ６で充電量を演算した後、または、ステップＳ７で充電量を推定可能であると判断された後、ステップＳ９ａにおいて、演算制御部１により、予測使用量が、電池残量から下限値を差し引いた値よりも大きいか否かが判断される。そして、予測使用量が電池残量から下限値を差し引くことにより演算された値よりも大きいと判断された場合には、ステップＳ１１ａに進む。また、演算された値よりも大きいと判断されない場合には、ステップＳ１１ａに進む。
【００７３】
ステップＳ１１ａにおいて、演算制御部１により、充電量は、予測使用量から、電池残量から下限値を差し引いた値を、差し引くことにより演算される。なお、演算された充電量により充電が実行された場合に、リチウムイオン電池３は、上限値よりも大きい電力量まで充電される。なお、演算された充電量に電池残量を加えた値は、第１実施形態とは異なり上限値よりも小さくなる場合がある。また、充電量は、満充電状態の電力量から電池残量を差し引いた値以下の値に演算される。
【００７４】
次に、ステップＳ１２ａにおいて、演算制御部１により、充電しないように設定される。すなわち、充電量が０に設定される。
【００７５】
なお、第２実施形態のその他の構成は、上記第１実施形態と同様である。
【００７６】
第２実施形態では、演算制御部１により、予測使用量が、電池残量から下限値を差し引いた値よりも小さい場合に、充電をしない設定がされるように構成されている。これにより、予測使用量に応じた充電量が充電されるようになり、リチウムイオン電池３の寿命が短くなるのを防止することができる。
【００７７】
なお、第２実施形態のその他の効果は、上記第１実施形態と同様である。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
たとえば、上記第１および第２実施形態では、本発明の機器の一例として、携帯端末装置を示したが、本発明はこれに限られない。本発明では、たとえば、図５に示すように、機器が車両３００であってもよい。車両３００は、車両３００の駆動電源として用いる充電可能なリチウムイオン電池３０３と、スケジュールが記憶される記憶部３０６と、記憶（設定）されたスケジュールに基づいて予測使用量を予測して充電量を演算する演算制御部３０１と、演算された前記充電量に基づいてリチウムイオン電池３０３の充電が行われるように制御する充電制御部３２１とを備えている。また、車両は、家庭内電源に接続することにより充電可能なように構成してもよい。
【００８０】
また、上記第１および第２実施形態では、本発明の充電可能な電池として、リチウムイオン電池を使用する例を示したが、本発明はこれに限られない。本発明では、たとえば、充電可能な電池として、ニッケル水素電池、鉛蓄電池およびニッケルカドミウム電池など、リチウムイオン電池以外の電池を使用してもよい。
【００８１】
また、上記第１実施形態では、充電制御部は、下限値に予測された予測使用量を加えた値が上限値よりも小さい場合に、上限値まで充電を行うように構成されている例を示したが、本発明はこれに限られない。本発明では、充電制御部は、上限値を超える値まで充電を行うように構成されていてもよい。
【００８２】
また、上記第１および第２実施形態では、スケジュールが目的地への出発時刻および到着時刻と、目的地の場所とを含む例を示したが、本発明はこれに限られない。本発明では、スケジュールが目的地への出発時刻および到着時刻と、目的地の場所とのうち少なくとも一方を含んでいればよい。
【００８３】
また、上記第１および第２実施形態では、演算制御部が、携帯端末装置の使用時間および移動距離に基づいて予測使用量を演算するように構成されている例を示したが、本発明はこれに限られない。本発明では、演算制御部が、携帯端末装置の使用時間および移動距離のうち少なくとも一方に基づいて予測使用量を演算するように構成されていればよい。
【００８４】
また、上記第１および第２実施形態では、予測使用量の予測（演算）は、スケジュールに加えて携帯端末装置の使用履歴にも基づいて演算することが可能である例を示したが、本発明はこれに限られない。本発明では、予測使用量の予測は、スケジュールに加えて使用履歴および充電履歴のうち少なくとも一方に基づいて演算することが可能である。
【００８５】
また、上記第１および第２実施形態では、充電履歴と使用履歴とに基づいて予測使用量を演算する例を示したが、本発明はこれに限られない。本発明では、充電履歴と使用履歴とのうち少なくとも一方に基づいて予測使用量を演算されていればよい。
【００８６】
また、上記第１および第２実施形態では、充電履歴が、時刻と、曜日と、現在地と、電池残量との情報からなる例を示したが、本発明はこれに限られない。本発明では、充電履歴が、少なくとも時刻と、曜日と、現在地と、電池残量との情報を含んでいればよく、他の情報を含んでいてもよい。
【００８７】
また、上記第１および第２実施形態では、使用履歴は、携帯端末装置の使用時における時刻、曜日、現在地、使用アプリケーションおよび使用機能に関する情報を含んでいる例を示したが、本発明はこれに限られない。本発明では、使用履歴は、携帯端末装置の使用時における時刻、曜日、現在地、使用アプリケーションおよび使用機能のうち少なくとも１つの情報を含んでいればよい。
【００８８】
また、上記第１および第２実施形態では、充電履歴は、充電開始時における情報を含んでいる例を示したが、本発明はこれに限られない。本発明では、たとえば、充電履歴は、充電途中や充電終了時の情報など、充電開始時以外の情報を含んでいてもよい。
【００８９】
また、上記第１および第２実施形態では、充電の実行のためには、ユーザーが充電量を変更するか否かを判断する必要がある例を示したが、本発明はこれに限られない。本発明では、たとえば、充電終了時刻が表示部に表示された場合に、ユーザーが充電量を変更する操作をしたか否かに関わらず、その時点から充電を実行するように充電制御部を構成してもよい。
【符号の説明】
【００９０】
１、３０１  演算制御部
３、３０３  リチウムイオン電池（電池）
６、３０６  記憶部
２１、３２１  充電制御部
１００  携帯端末装置（機器）
３００  車両（機器）
【図１】
2014176103.tif 000003
【図２】
2014176103.tif 000004
【図３】
2014176103.tif 000005
【図４】
2014176103.tif 000006
【図５】
2014176103.tif 000007